(57)【要約】      （修正有）【課題】簡易な構成で、各サイズの薄型表示機器に対して左右方向のデッドスペースを最小限に抑える薄型表示機器梱包具を提供する。【解決手段】左右の対向する面と上面が開口し、左右方向にスライドして嵌り合うトレイ部１０、２０と、上下方向に長尺かつ左右に対向し、その間に薄型表示機器を幅方向で挟み、トレイ部の左右両端部に上方から内嵌される側蓋３０、４０と、側蓋の高さ寸法に対応する高さの直方体形状をなし、かつ左右の対向する面と下面が開口し、側蓋に外嵌し、かつトレイ部に内嵌される左右方向にスライドして嵌り合う筐体５０、６０とを備え、側蓋は、薄型表示機器の上辺に当接する保持具３１、４１を上下に変位可能に保持し、トレイ部は、側蓋に挟持された薄型表示機器の下辺を支持する支持具１１〜１３、２１〜２３を備え、かつ前後面で締結紐を支持する第１の締結具と、左右側面で締結紐を支持する第２の締結具とを有する。【選択図】図２
0003229838.tif 000002
【実用新案登録請求の範囲】
【請求項１】
箱型のトレイであって、左右の対向する面及び上面が開口し、左右方向にスライドして嵌り合う第１、第２のトレイ部と、
上下方向に長尺で、かつ左右に対向し、その間に薄型表示機器を幅方向で挟み、前記第１、第２のトレイ部の左右両端部に上面の前記開口から内嵌される第１、第２の側蓋と、
少なくとも前記第１、第２の側蓋の高さ寸法に対応する高さを有する直方体形状をなし、かつ左右の対向する面及び下面が開口し、前記第１、第２の側蓋に外嵌し、かつ前記第１、第２のトレイ部に内嵌される、左右方向にスライドして嵌り合う第１、第２の筐体とを備え、
前記第１、第２の側蓋は、前記薄型表示機器の上辺に当接する保持具を上下方向に位置変位可能に保持し、
前記第１、第２のトレイ部は、前記第１、第２の側蓋に挟持された前記薄型表示機器の下辺を支持する支持具を備え、かつ前後面で締結紐を支持する第１の締結具と、左右側面で締結紐を支持する第２の締結具とを有する薄型表示機器梱包具。
【請求項２】
前記第１、第２のトレイ部、前記第１、第２の側蓋及び前記第１、第２の筐体は、樹脂製である請求項１に記載の薄型表示機器梱包具。
【請求項３】
前記第１、第２の側蓋は、左右両端の面に上下方向の長溝を有し、前記保持具は、前記長溝に嵌合する突条を有する請求項１又は２に記載の薄型表示機器梱包具。
【請求項４】
前記第１、第２のトレイ部の支持具は、底板の上面に左右方向に移動可能に盤状の緩衝具が設けられている請求項１〜３のいずれかに記載の薄型表示機器梱包具。
【請求項５】
前記第１、第２のトレイ部の支持具は、さらに、前後方向に並設された一対の立直状の保護具と、前記一対の保護具の間に前記薄型表示機器を締結する締結具とを備えた請求項１〜４のいずれかに記載の薄型表示機器梱包具。
【考案の詳細な説明】
【技術分野】
【０００１】
本考案は、複数サイズを有する薄型表示機器を梱包する薄型表示機器梱包具に関する。
【背景技術】
【０００２】
引越し業者や運搬業者は、引越しで又は購入した液晶テレビやパソコンのモニタなどの薄型表示機器を搬送する場合、梱包して搬送することで、搬送作業性や安全性を保持している。また、薄型表示機器は一般的に複数サイズを有することから、従来、各サイズに合わせて梱包具を変形させてデッドスペースを形成せず、効率的な搬送を可能にしている。例えば特許文献１には、互いに重なり合うよう僅かに寸法の異なる形状を有し、かつ左右方向にスライド可能な左右側の資材本体を備えることで左右方向のサイズ変形を可能にし、加えて蓋部を複数部位で屈曲可能にして高さ方向についても薄型表示機器の高さに合わせてサイズ変形を可能する梱包資材が記載されている。
【先行技術文献】
【特許文献】
【０００３】
【特許文献１】特開２０１１−１７３６１９号公報
【考案の開示】
【考案が解決しようとする課題】
【０００４】
しかしながら、特許文献１では、左右側の資材本体が側面視で台形形状を有するため底部側でいたずらに場所を取り、また高さ方向のサイズを変更するために複雑な構造が採用されており、改善の余地がある。
【０００５】
本考案は、上記に鑑みてなされたもので、簡易な構造でありながら、左右方向に対するデッドスペースを最小化する形状変更が可能な薄型表示機器梱包具を提供するものである。
【課題を解決するための手段】
【０００６】
本考案に係る薄型表示機器梱包具は、箱型のトレイであって、左右の対向する面及び上面が開口し、左右方向にスライドして嵌り合う第１、第２のトレイ部と、上下方向に長尺で、かつ左右に対向し、その間に薄型表示機器を幅方向で挟み、前記第１、第２のトレイ部の左右両端部に上面の前記開口から内嵌される第１、第２の側蓋と、少なくとも前記第１、第２の側蓋の高さ寸法に対応する高さを有する直方体形状をなし、かつ左右の対向する面及び下面が開口し、前記第１、第２の側蓋に外嵌し、かつ前記第１、第２のトレイ部に内嵌される、左右方向にスライドして嵌り合う第１、第２の筐体とを備える。前記第１、第２の側蓋は、前記薄型表示機器の上辺に当接する保持具を上下方向に位置変位可能に保持する。前記第１、第２のトレイ部は、前記第１、第２の側蓋に挟持された前記薄型表示機器の下辺を支持する支持具を備え、かつ前後面で締結紐を支持する第１の締結具と、左右側面で締結紐を支持する第２の締結具とを有する。
【０００７】
本考案によれば、薄型表示機器の左右方向のサイズに合わせて梱包具を構成する左右の部材の重なり合い量を可変できるので、簡易な構造でありながら、デッドスペースが可及的に最小化可能となる。
【０００８】
また、前記第１、第２のトレイ部、前記第１、第２の側蓋及び前記第１、第２の筐体は、樹脂製であることが好ましい。この構成によれば、所要の強度を持ちながら軽量化が図れる。
【０００９】
また、前記第１、第２の側蓋は、左右両端の面に上下方向の長溝を有し、前記保持具は、前記長溝に嵌合する突条を有する。この構成によれば、薄型表示機器のサイズに対応して保持具を位置調整可能である。
【００１０】
また、前記第１、第２のトレイ部の支持具は、底板の上面に左右方向に移動可能に盤状の緩衝具が設けられている。この構成によれば、薄型表示機器のサイズに合わせて緩衝具の位置調整が可能となる。
【００１１】
また、前記第１、第２のトレイ部の支持具は、さらに、前後方向に並設された一対の立直状の保護具と、前記一対の保護具の間に前記薄型表示機器を締結する締結具とを備えたものである。この構成によれば、薄型表示機器の下辺を所定位置に保持される。
【考案の効果】
【００１２】
本考案によれば、簡易な構成で、各サイズの薄型表示機器に対して左右方向のデッドスペースを最小限に抑えることができる。
【図面の簡単な説明】
【００１３】
【図１】本考案に係る薄型表示機器梱包具の各構成部位の概要を説明する分解概略斜視図である。
【図２】大サイズの薄型表示機器を梱包した状態の図で、（Ａ）はＢ−Ｂ’線図、（Ｂ）は薄型表示機器梱包具の正面図、（Ｃ）はＡ−Ａ’線図のうちトレイ部を省略した図である。
【図３】大サイズの薄型表示機器を梱包した状態の図で、Ａ−Ａ’線図のうちトレイ部のみを示す図である。
【図４】（Ａ）は大サイズの薄型表示機器を梱包した状態のＥ−Ｅ’線図、（Ｂ）は小サイズの薄型表示機器を梱包した状態のＥ−Ｅ’線図、（Ｃ）はトレイ部の底板上に配置される一対の緩衝具と固定部の配置を示す部分斜視図である。
【図５】小サイズの薄型表示機器を梱包した状態の図で、（Ａ）はＤ−Ｄ’線図、（Ｂ）は薄型表示機器梱包具の正面図、（Ｃ）はＣ−Ｃ’線図のうちトレイ部を省略した図である。
【図６】（Ａ）は側蓋の斜視図、（Ｂ）は保護具の斜視図である。
【考案を実施するための形態】
【００１４】
図１は、本考案に係る薄型表示機器梱包具の各構成部位の概要を説明する分解概略斜視図である。図１は、薄型表示機器梱包具１（以下、梱包具１という。）を構成する各枠部を示すもので、基本的には左右略対称の形状を有する。梱包具１は、左右側のトレイ部１０，２０と、左右側の側蓋３０，４０と、左右側の筐体５０，６０とを備える。
【００１５】
トレイ部１０，２０は、梱包対象の薄型表示機器ＴＶの下辺を支持するもので、箱型（直方体形状）のトレイであって、左右の対向する面及び上面は開口し、左右方向に相対的にスライドして嵌り合う寸法を有する。すなわち、トレイ部１０は、底板１０１、前後板１０２，１０３、及び側板１０４を有し、トレイ部２０は、底板２０１、前後板２０２，２０３、及び側板２０４を有する。左右視で、側板１０４と２０４との前後方向の寸法を、好ましくは板の厚み分だけ大小変えることで、トレイ部１０とトレイ部２０とを左右方向（矢印で示す）にスライドさせて嵌り合わせることができるようにしている。
【００１６】
なお、嵌り合うときに外側となるトレイ部１０の前後板１０２，１０３の右端（トレイ部２０と対向する側）に近い適所には、後述するように、筐体５０，６０を前面側から後面側に亘って掛け渡してトレイ部１０，２０と筐体５０，６０とを締結する、例えば締結紐やバックルなどを含む締結具１１０が設けられている。また、トレイ部１０、２０の側板１０４，２０４には、後述するように、筐体５０，６０を左（右）面側から右（左）面側に亘って掛け渡してトレイ部１０，２０と筐体５０，６０とを締結する、例えば締結紐やバックルなどを含む締結具２１０が設けられている。
【００１７】
側蓋３０，４０は、上下方向に長尺で、かつ左右に対向して配置される。側蓋３０，４０は、左右の対向する面及び底面は開口している。側蓋３０は、上板３０１、前後板３０２，３０３、及び側板３０４を有し、側蓋４０は、上板４０１、前後板４０２，４０３、及び側板４０４を有する。左右視で、側板３０４と４０４との前後方向の寸法を、好ましくは板の厚み分だけ大小変えることで、対応するトレイ部１０、トレイ部２０の底板１０１，２０１上に嵌り込ませることができる。側蓋３０，４０は、両者間に、立直姿勢の薄型表示機器ＴＶを幅方向（左右方向）の両側から挟み、トレイ部１０，２０の底板１０１，２０１上で、かつ側板１０４，２０４に接する位置に内嵌される。
【００１８】
筐体５０，６０は、少なくとも側蓋３０，４０の高さ寸法に対応する高さを有する直方体形状をなし、かつ左右に対向して配置される。筐体５０，６０は、左右の対向する面及び下面が開口し、筐体５０は、上板５０１、前後板５０２，５０３、及び側板５０４を有し、筐体６０は、上板６０１、前後板６０２，６０３、及び側板６０４を有する。筐体５０，６０は、左右視で、側板５０４と６０４との前後方向の寸法を、好ましくは板の厚み分だけ大小変えることで、筐体５０と筐体６０とを左右方向にスライドさせて嵌り合わせることができる。筐体５０，６０は、対応する側蓋３０，４０に外嵌した状態で、さらに対応するトレイ部１０，２０の底板１０１，２０１上に内嵌される。
【００１９】
側蓋３０，４０は、薄型表示機器ＴＶを左右方向で挟持する。薄型表示機器ＴＶは、例えば３２インチ〜５５インチ（対角線寸法）の間で、複数のサイズが設定されている。ここでは、例えば５５インチ乃至はそれに近いサイズをまとめて大サイズといい、３２インチ乃至はそれに近いサイズをまとめて小サイズという。大サイズの場合、トレイ部１０，２０及び筐体５０，６０の嵌り込み寸法（互いの重なり量）は小さく、小サイズになるほど、トレイ部１０，２０及び筐体５０，６０の嵌り込み寸法（互いの重なり量）は順次大きくなる。これによってデッドスペースの発生が抑制される。
【００２０】
トレイ部１０，２０及び側蓋３０，４０は、更に以下の構成を備えている。以下、説明する。なお、トレイ部１０，２０及び側蓋３０，４０がそれぞれ備える構成は、左右で同一なので、以下では左右の一方側（左側）について主に説明し、他方は省略する。
【００２１】
図２、図３及び図４（Ａ）は、薄型表示機器ＴＶが大サイズの場合の梱包具１による梱包状態を説明する図であり、図５、図４（Ｂ）は、薄型表示機器ＴＶが小サイズの場合の梱包具１による梱包状態を説明する図である。また、図６は側蓋３０（側蓋４０も同じ）に設けられる保持具３１の構造を示す。
【００２２】
図２（Ｂ）に示すように、側蓋３０，４０は大サイズの薄型表示機器ＴＶを左右で挟持した状態でトレイ部１０，２０に内嵌され、かつ筐体５０，６０を側蓋３０，４０の左右端に当接するように被せて全体を覆うようにしている。側蓋３０，４０の側板３０４，４０４の内面に設けられた保持具３１，４１で薄型表示機器ＴＶの上辺を保持乃至保護している。
【００２３】
図６に示すように、側蓋３０の側板３０４には、本実施形態では保持具３１の形状に対応させて、上下方向に長尺の互いに平行な２本の長溝３１０が穿設されている。保持具３１は、図６（Ｂ）に示すように平面視でコ字状を有し、基端が下方向に所定寸法だけ延設された下方延設部３２を備えている。各下方延設部３２の裏面側（図６（Ｂ）では左側）には上下に延びる所要厚を有する突条３２１がそれぞれ形成されている。突条３２１が長溝３１０に圧入されて高さ位置が保持され、かつ保持具３１を上下方向に位置移動操作することで、梱包対象の薄型表示機器ＴＶのサイズ（高さ）に対応する位置に調整することができる。なお、必要に応じて面ファスナを用いるなどして保持具３１をより強固に側蓋３０へ締結させるようにしてもよい。
【００２４】
図２（Ｂ）及び図３に示すように、一方のトレイ部１０は、底板１０１上で左右方向のうち開口側に、例えば発泡材からなるマット状の緩衝板１１と、緩衝板１１の上部に前後方向の中央を挟んで左右方向に延設される２本の面ファスナ１４を有する板状体１２と、板状体１２の中央に左右方向に穿設された長尺の長孔１２０に嵌合され、左右方向にスライド可能な、樹脂製で例えば円板状の緩衝具１３とを備えている。板状体１２の基端１２１は、上方に折り曲げられて側板１０４に支持されている。緩衝板１１及び緩衝具１３は梱包対象の薄型表示機器ＴＶのサイズ（幅方向）に応じて適宜の位置に調整することができる。なお、トレイ部２０側も同様な構造（緩衝板２１、板状体２２、緩衝具２３）を有する。
【００２５】
また、図２（Ｃ）及び図４（Ａ）に示すように、トレイ部１０の底板１０１上には、側板１０４の位置で前後方向に並設された一対の立直状の保護具７１，７２が載置されている。さらに、図４（Ｃ）に示すように（図４（Ａ），（Ｂ）では省略している）、一対の保護具７１，７２間には、Ｔ字状の位置決め板７３が介設されている。薄型表示機器ＴＶは、下辺の左右方向の端部が位置決め板７３上に位置し、かつ一対の保護具７１，７２間に挟持される。締結具７４は、保護具７１，７２の前、後面に設けられた面ファスナと、面ファスナと接合される帯状紐とからなり、帯状紐が掛け渡されて保護具７１，７２と薄型表示機器ＴＶとが一体的に締結されている。なお、トレイ部２０側も同様な構造を有する。
【００２６】
また、図５に示すように、薄型表示機器ＴＶが小サイズの場合の梱包具１による梱包状態も、基本的には、大サイズの場合と同様である。ただし、薄型表示機器ＴＶが小サイズの場合、厚さもより薄いと考えられ、図５（Ｃ）のように、保護具７１，７２が大サイズの場合に比して、より近接して薄型表示機器ＴＶを一体的に締結している。なお、図４（Ｂ）は、締結前の状態を示している。
【００２７】
以上のように、トレイ部１０と２０及び筐体５０と６０は、左右方向の寸法が同一であることが好ましく、そして、薄型表示機器ＴＶが大サイズの場合には、少なくとも一部が重なり合う（嵌合する）状態にあり、小サイズの場合には、最も重なり合う（嵌合する）状態、すなわち重なり度が１００％乃至それに近い状態にある。これによって、薄型表示機器ＴＶの左右方向のサイズに関わらず、左右方向のデッドスペースを最小限（略最小限を含む）に抑える。
【００２８】
また、本梱包具１は、好ましくは樹脂で作製されることで、何度でも繰り返し使用することが可能となる。
【符号の説明】
【００２９】
１  薄型表示機器梱包具
１０，２０  トレイ部
１１，２１  緩衝板（支持具の一部）
１２，２２  板状体（支持具の一部）
１３  緩衝具（支持具の一部）
１１０，２１０  締結具
３０，４０  側蓋
３１  保持具
３１０  長溝
３２１  突条
５０，６０  筐体
７１〜７４  保護具（支持具の一部）
７４  締結具（支持具の一部）
【図１】
0003229838.tif 000003
【図２】
0003229838.tif 000004
【図３】
0003229838.tif 000005
【図４】
0003229838.tif 000006
【図５】
0003229838.tif 000007
【図６】
0003229838.tif 000008